(57)【要約】【課題】前面ドアを開けて行なう作業時の安全性を図ることができる遊技機を提供する。【解決手段】パチスロ機１の前面ドア２の裏面側に高温となるスピーカ６に対する安全対策として、スピーカ６の背面部に、スピーカ・カバー６０を装着するとともに、このスピーカ・カバー６０を構成する上部カバー部に複数の通孔を形成し、これら複数の通孔を通じて、スピーカ６から発生する熱をスピーカ・カバー６０の外部に分散させて放熱する。【選択図】        図４
2007313250.tif 000002
【特許請求の範囲】
【請求項１】
遊技機の本体内部に、当該遊技機による遊技状態に応じた効果音および／または音声を出力するスピーカを備えた遊技機において、
前記スピーカは、遊技機本体内部の前面ドア裏面側に設けられるとともに、当該スピーカを構成するスピーカ本体の天面部には、当該天面部の周囲を包覆する包覆カバー部材が装着されることを特徴とする遊技機。
【請求項２】
前記包覆カバー部材は、前記スピーカを構成するスピーカ本体の形状に合わせて成形された天面部と側板部とにより構成され、このうち天面部には、前記スピーカから発生する熱を放熱させる複数の通孔が形成されることを特徴とする請求項１に記載の遊技機。
【請求項３】
前記スピーカを構成するスピーカ本体の側面部の所定位置には係合凹部が形成され、前記包覆カバー部材を構成する側面部には、前記スピーカ本体の側面部の所定位置に形成された係合凹部と係合自在な係合凸部が形成されることを特徴とする請求項１または２に記載の遊技機。
【請求項４】
前記スピーカ本体に対する包覆カバー部材の装着時には、当該スピーカ本体の背面部と前記包覆カバー部材を構成する天面部の内面との間には、所定の隙間が形成されることを特徴とする請求項１、２または３に記載の遊技機。
【発明の詳細な説明】
【技術分野】
【０００１】
本発明は、遊技状態に応じて効果音や音声を出力するスピーカを備えた遊技機に関し、特に、前面ドアを開けて行なう作業時の安全性を図ることができる遊技機に関する。
【背景技術】
【０００２】
従来より、遊技客から投入されるメダル若しくはＢＥＴ操作後にスタートレバーを操作して３つのリールを回転駆動させるとともに、各リールに対応するストップボタンの押下により各リールを停止させ、リール表示窓内に止まった絵柄の組み合わせに応じて所定枚数のメダルを払い出すパチスロ機が知られている。
【０００３】
また、従来からこのようなパチスロ機には、リールの回転時や遊技状態に応じて、キャラクタなどの表示により様々な演出を行なう液晶表示パネルや特殊な効果音や音声などを出力するスピーカを備えている。遊技者は、液晶表示パネルに表示される遊技演出やスピーカから出力される特殊な効果音や音声により大当り（例えば、ビックボーナス）などが近づいているなどの期待感を抱くことができ、これにより、遊技の興趣性を向上させることができる。
【０００４】
この種の特殊な効果音などを出力するスピーカを備えたパチスロ機の従来例としては、パチスロ機の機器前面に設置された第１のスピーカに加え、機器背面に第２のスピーカを備えることにより、第１のスピーカだけでは不足する音量を第２のスピーカによって補うパチスロ機について開示されている（例えば、特許文献１参照）。この特許文献１に開示されたパチスロ機の場合、遊技状態に応じて、適度に大きな音量や低音出力による十分な効果音を遊技者に伝えることができるため、遊技者の遊技に対する興趣を十分に満たすことが可能となる。
【０００５】
【特許文献１】特開平０９−２２０３１３号公報
【発明の開示】
【発明が解決しようとする課題】
【０００６】
ところが、上述したパチスロ機の場合、係員が行なうパチスロ機のメンテナンスなどの点検時に、スピーカに触れてしまうと火傷などで負傷するという問題がある。すなわち、近年のパチスロ機の場合、遊技者の興趣を高めるために、効果音やキャラクタなどによる音声などをスピーカから出力させる頻度が多いため、スピーカ自体の温度上昇により、スピーカの表面温度は高温状態となっている。また、パチスロ機に設けているスピーカは、前面ドアの裏面側に設けられているため、スピーカの背面部は露出した状態となっており、これにより、係員が前面ドアを開けて内部を点検する際に、高温状態となっているスピーカに触れた場合に、火傷などで負傷することとなる。
【０００７】
また、従来公報に開示された遊技機の場合、第１のスピーカだけでは不足する音量を第２のスピーカによって補うことができるが、上述した問題点である高温状態となったスピーカに対する安全対策については、何ら行なっていないため、前面ドアを開けて行なうメンテナンスなどの作業時の安全性を図ることができないという問題がある。
【０００８】
そこで、この発明は、上述した従来技術の課題を解決するためになされたものであり、遊技状態に応じて効果音や音声を出力するスピーカを備えた遊技機に関し、特に、前面ドアを開けて行なう作業時の安全性を図ることができる遊技機を提供することを目的とする。
【課題を解決するための手段】
【０００９】
上述した課題を解決するため、請求項１に係る発明は、遊技機の本体内部に、当該遊技機による遊技状態に応じた効果音および／または音声を出力するスピーカを備えた遊技機において、前記スピーカは、遊技機本体内部の前面ドア裏面側に設けられるとともに、当該スピーカを構成するスピーカ本体の天面部には、当該天面部の周囲を包覆する包覆カバー部材が装着されることを特徴とする。
【００１０】
本発明によれば、遊技機本体内部の前面ドア裏面側に設けられるスピーカには、スピーカの天面部の周囲を包覆する包覆カバー部材が装着されるので、スピーカが遊技機の稼働に応じて温度上昇し、高温となった場合でも、前面ドアを開けて行なうメンテナンスなどの点検時に、高温状態となったスピーカに係員が直接触れることを防止することができるため、前面ドアを開けて行なうメンテナンスなどの作業時の安全性を図ることができる。
【００１１】
また、請求項２に係る発明は、上記の発明において、前記包覆カバー部材は、前記スピーカを構成するスピーカ本体の形状に合わせて成形された天面部と側板部とにより構成され、このうち天面部には、前記スピーカから発生する熱を放熱させる複数の通孔が形成されることを特徴とする。
【００１２】
本発明によれば、包覆カバー部材を構成する天面部と側板部のうちの天面部には、スピーカから発生する熱を放熱させる複数の通孔が形成されるので、遊技演出にともなう効果音／音声出力の頻度により温度上昇したスピーカから発生する熱を複数の通孔を通じて、外部に分散させて放熱させることができるため、高温となったスピーカに装着した包覆カバー部材自体がスピーカの熱により高温状態となり変形するなどの不具合を防止することができる。また、スピーカから発生する熱を通孔を通じて外部に放熱することで、高温状態となったスピーカに対する放熱作用を促進することができる。
【００１３】
また、請求項３に係る発明は、上記の発明において、前記スピーカを構成するスピーカ本体の側面部の所定位置には係合凹部が形成され、前記包覆カバー部材を構成する側面部には、前記スピーカ本体の側面部の所定位置に形成された係合凹部と係合自在な係合凸部が形成されることを特徴とする。
【００１４】
本発明によれば、スピーカに包覆カバー部材を取り付ける場合、包覆カバー部材の係合凸部をスピーカに形成された係合凹部に係合させる作業を行なうだけなので、スピーカに対する包覆カバー部材の取り付け及び取り外し作業を容易とすることができる。
【００１５】
また、請求項４に係る発明は、上記の発明において、前記スピーカ本体に対する包覆カバー部材の装着時には、当該スピーカ本体の背面部と前記包覆カバー部材を構成する天面部の内面との間には、所定の隙間が形成されることを特徴とする。
【００１６】
本発明によれば、スピーカに対する包覆カバー部材の装着時には、スピーカ本体の天面部と包覆カバー部材の上部カバー部（内面部）との間には、所定の隙間が形成されるように構成されているので、スピーカ本体と包覆カバー部材との間に介在する隙間がスピーカの熱が流通する空気流路となり、これにより、効果的な放熱効果を得ることができる。
【００１７】
また、スピーカに対する包覆カバー部材の装着時には、スピーカ本体と包覆カバー部材との間に隙間が介在する構成としているので、包覆カバー部材が直接高温となったスピーカに接触することがなく、これにより、包覆カバー部材がスピーカの熱により高温状態となり変形するなどの不具合を防止することができる。
【発明の効果】
【００１８】
本発明によれば、スピーカには、包覆カバー部材が装着されるので、前面ドアを開けて行なうメンテナンスなどの作業時に、この包覆カバー部材により高温状態のスピーカに直接触れることを回避することができ、これにより、火傷などで負傷することを防止することができる。
【発明を実施するための最良の形態】
【００１９】
以下に添付図面を参照して、本発明に係る遊技機の好適な実施例を詳細に説明する。なお、本発明はメダル、コイン、遊技球又はトークンなどを遊技媒体として用いる各種遊技機に適用することができるが、ここでは本発明をメダルを遊技媒体として用いるパチスロ機に適用した場合を示すこととする。
【実施例】
【００２０】
[パチスロ機１の全体構成]
先ず、本実施例１に係るパチスロ機１の外観構成と内部構成について詳細に説明する。図１は、実施例１に係るパチスロ機１の外観構成を示す斜視図を示している。図２は、前面ドアの内部構成の正面図を、図３は、パチスロ機１の内部構成の正面図をそれぞれ示している。
【００２１】
図１、２に示すように、パチスロ機１の全体を形成している筐体は、箱状のキャビネット１ａと、このキャビネット１ａの前部に形成した開口を開閉する前面ドア２とを備える。また、パチスロ機１の上部には、左右対称位置にスピーカ６，６が設けられており、これらのスピーカ６，６は、遊技時の演出に関する効果音や音声などによる演出音を出力するように構成されている。
【００２２】
また、これらスピーカ６，６の本体部６ａには、スピーカ・カバー６０が装着される構成となっている（図４参照）。なお、これらスピーカ６，６に設けたスピーカ・カバー６０は、本発明の特徴部分であるため、このスピーカ・カバー６０の構成及び特徴の詳細については後述する。
【００２３】
図１、２に戻り、パチスロ機１の前面部には、略垂直面をなすパネル表示部２ａ及び液晶表示部２ｂが設けられている。パネル表示部２ａには、リール表示窓４Ｌ，４Ｃ，４Ｒが設けられ、このリール表示窓４Ｌ，４Ｃ，４Ｒには、水平方向にトップライン５ｂ、センターライン５ｃ及びボトムライン５ｄの表示ラインが設けられ、斜め方向にクロスアップライン５ａ及びクロスダウンライン５ｅの表示ラインが設けられる。
【００２４】
後述するように、遊技者がメダル投入口１２に１枚又は２枚のメダルを投入した場合には、それぞれ１本（センターライン５ｃ）又は３本（トップライン５ｂ、センターライン５ｃ及びボトムライン５ｄ）の表示ラインが有効となる。また、遊技者が３−ＢＥＴボタン１５を押下操作するか又は遊技者がメダル投入口１２に３枚のメダルを投入すると、５本の各ライン５ａ〜５ｅが有効となる。なお、これら各ライン５ａ〜５ｅは役の成否に関わる。また、液晶表示部２ｂは、パチスロ遊技時の各種演出や待機時のデモ表示などを行なう。
【００２５】
前面ドア２の背後には、複数種類の図柄が各々の外周面に描かれた３個のリール３Ｌ，３Ｃ，３Ｒが回転自在に横一列に設けられており、各リール３Ｌ，３Ｃ，３Ｒは、一定の速度（例えば、８０回転／分）で回転する。これら３個のリール３Ｌ，３Ｃ，３Ｒによりリールユニット３が構成される。各リール３Ｌ，３Ｃ，３Ｒは、リール表示窓４Ｌ，４Ｃ，４Ｒから目視することができ、各リール３Ｌ，３Ｃ，３Ｒが回転中であり、停止ボタン１８Ｌ，１８Ｃ，１８Ｒが押下操作可能である場合には、遊技者がリール３Ｌ，３Ｃ，３Ｒ上の図柄を視認できるように透過状態となる。
【００２６】
また、パネル表示部２ａ及び液晶表示部２ｂの下方には、略水平面をなす台座部１１が設けられている。この台座部１１の右側には、メダルを投入するためのメダル投入口１２が設けられており、このメダル投入口１２に投入されたメダルは、クレジットされるか又はゲームに賭けられる。
【００２７】
メダル投入口１２は、メダルセレクタ１００（図２）を構成するメダル通路（図示せず）に連絡されており、後述するように、このメダルセレクタ１００によりメダル投入口１２から投入されたメダルが正規メダルか不正メダルであるかをメダルの大きさや磁性特性などにより判別することができる。
【００２８】
また、台座部１１の左側には、クレジットされているメダルを賭けるための１枚賭け用の１−ＢＥＴボタン１３と、２枚賭け用の２−ＢＥＴボタン１４と、３枚賭け用の３−ＢＥＴボタン１５とが設けられている。３−ＢＥＴボタン１５は、所謂ＭＡＸ−ＢＥＴボタンであり、１回の押下操作によりクレジットされたメダルから１ゲームに賭け得る最大枚数のメダル（通常は３枚）が賭けられる。かかる１−ＢＥＴボタン１３，２−ＢＥＴボタン１４，３−ＢＥＴボタン１５を押下操作するか若しくは３枚のメダルがメダル投入口１２に投入されると、所定のライン５ａ〜５ｅが有効化される。
【００２９】
台座部１１の前面部の左寄りには、遊技者がゲームで獲得したメダルをクレジットするか、クレジットしたメダルを払い出すかを押下操作で切り換えるＣ／Ｐボタン１６が設けられている。所定枚数のメダルがクレジットされた状態でＣ／Ｐボタン１６が押下されると、クレジットが無効化され該クレジットされた枚数分のメダルが正面下部に開口したメダル払出口２０からメダル受け部１９に投出される。
【００３０】
また、クレジットが無効化された状態でこのＣ／Ｐボタン１６が押下されると、クレジットが有効となる。このＣ／Ｐボタン１６の右側には、遊技者の操作によりリール３Ｌ〜３Ｒを回転駆動させるスタートレバー１７が所定の角度範囲で回動自在に取り付けられている。
【００３１】
台座部１１の前面部中央で、スタートレバー１７の右側には、３個のリール３Ｌ，３Ｃ，３Ｒの回転をそれぞれ停止させるための３個の停止ボタン１８Ｌ，１８Ｃ，１８Ｒが設けられている。なお、１ゲーム（単位遊技）は、スタートレバー１７が操作されることによって開始され、全てのリール３Ｌ，３Ｃ，３Ｒが停止したときに終了する。
【００３２】
また、パネル表示部２ａには、ボーナス回数表示部８、ＢＥＴランプ７ａ〜７ｃ、クレジット表示部９及び払出枚数表示部１０が設けられている。ボーナス回数表示部８は、７セグメントＬＥＤにより形成されておりボーナス中の遊技情報を表示する。
【００３３】
ＢＥＴランプ７ａ〜７ｃは、１ゲームを行なうために賭けられたメダル数（以下「ＢＥＴ数」と言う）に応じて点灯するランプであり、具体的には、１−ＢＥＴランプ７ａはＢＥＴ数が１の時に点灯し、２−ＢＥＴランプ７ｂはＢＥＴ数が２以上である場合に点灯し、３−ＢＥＴランプ７ｃはＢＥＴ数が３以上である場合に点灯する。
【００３４】
また、クレジット表示部９及び払出枚数表示部１０は、それぞれ７セグメントのＬＥＤにより形成され、クレジット表示部９にはクレジットされている残メダル枚数が表示される。ここで、通常は、パチスロ機１にクレジットされる最大枚数は５０枚であるので、このクレジット表示部９に表示されるクレジット枚数は５０以下となる。
【００３５】
なお、最大枚数の５０枚のメダルがクレジットされている状態で、メダルを投入してもそのまま払い出される。また、払出枚数表示部１０には入賞が成立した時のメダル払出枚数が表示される。
【００３６】
図２に示すように、前面ドア２の片側（図２の左側）には、メダルセレクタ１００と、このメダルセレクタ１００の下流端に接続されたキャンセルシュート３００とが設けられている。メダルセレクタ１００は、メダル投入口１２（図１）から投入されたメダルが、メダルセレクタ１００の内部に形成されたメダル通路（図示せず）を通過する際に、メダルの真偽を判別し、正規メダルと判別されたメダルをカウントするとともに、メダルセレクタ１００の排出側に接続しているメダルホッパー２１（図３）に排出する。メダルホッパー２１は、メダルセレクタ１００から排出されたメダルを貯留する。
【００３７】
一方、メダルセレクタ１００により不正メダルと判別されたメダルは、メダルセレクタ１００の下方に設けたキャンセルシュータ２００に排出され、このキャンセルシュータ２００を通じて、キャンセルシュート３００の内部に落下する。
【００３８】
キャンセルシュート３００は、メダルセレクタ１００のキャンセルシュータ２００を通じて落下したメダルをメダ払出口２０から排出し返却する機能を備えている。また、このキャンセルシュート３００は、メダルホッパー２１から排出されるメダルをメダル払出口２０からメダル受け部１９に払い出す機能を備えている。
【００３９】
また、図３に示すように、キャビネット１ａの内部には、図１に示した３個のリール３Ｌ，３Ｃ，３Ｒを備えたリールユニット３が装着されている。また、リールユニット３の下側には、メダルホッパー２１（メダル払出装置）が設置されている。
【００４０】
メダルホッパー２１は、メダルを貯留するホッパータンク２１ａと、このホッパータンク２１ａに貯留されたメダルを排出するホッパー本体２２とを有している。また、このホッパー本体２２の内部には、メダル排出機構（図示せず）が設けられており、パチスロ遊技による遊技結果（入賞役）に応じて払い出されるメダルを排出ノズル２３を通じてキャンセルシュート３００（図２）に排出するように構成されている。
【００４１】
前述したように、ホッパー本体２２の排出ノズル２３から排出されたメダルは、キャンセルシュート３００から前面ドア２の下方部に開口したメダル払出口２０を介して、メダル受け部１９に払い出される。また、キャビネット１ａの底部の左側には、パチスロ機１のキャビネット１ａ内に装着された各部品に電力を供給する電源部２４が設けられている。
【００４２】
［スピーカ・カバー６０の構成及び特徴］
次に、図４、５及び図６を参照してスピーカ・カバー６０の構成について説明する。図４は、スピーカ・カバー６０の取り付け状態を示す要部拡大斜視図を、図５は、スピーカ・カバー６０の全体構成である斜視図（表面図）を、図６は、図５の裏面図をそれぞれを示している。
【００４３】
ここで、本実施例１におけるパチスロ機１の特徴は、図４に示すように、前面ドア２の裏面側に設けた２個のスピーカ６の本体部６ａに、このスピーカ６の周囲を覆うスピーカ・カバー６０を装着することにある。このため、以下の説明では、このスピーカ６に装着するスピーカ・カバー６０の構成及び特徴を中心に説明する。
【００４４】
すなわち、図５及び図６に示すように、スピーカ・カバー６０は、前面ドア２に設けたスピーカ６の形状に合わせて全体が略円筒状に構成されるとともに、円形状の上部カバー部６１と、この上部カバー部６１の端縁部から下方に向けて延出された４箇所の取り付け腕部６２とにより構成されている。また、この取り付け腕部６２の内側には、それぞれ鉤型の取り付け爪部６７が形成されている。この取り付け爪部６７は、スピーカ６の本体部６ａに形成された係合凹部６ｂ（図７−１）と係合自在となっている。
【００４５】
同図に示すように、上部カバー部６１は、この上部カバー部６１のほぼ中央部に形成された中央通孔６３を中心として、柱部６４により複数の領域（図５では、６領域）に分割され、各領域には、略円弧状に形成された複数（図５では、３個）の通孔６５が形成されている。また、上部カバー部６１の端縁部の３箇所には円周方向に沿って複数（図５では、４個、合計１２個）の通孔６６がそれぞれ形成されている。これにより、上部カバー部６１には、合計４１個の放熱用の通孔（中央通孔６３、通孔６５及び通孔６６）が設けられていることとなる。これら中央通孔６３、通孔６５及び通孔６６は、スピーカ６が高温となり熱が発生した場合に、この熱を外部に分散させて放熱する機能を備えている。
【００４６】
これにより、本実施例１のパチスロ機１では、スピーカ６に対して、スピーカ・カバー６０を装着することにより、このスピーカ・カバー６０の上部カバー部６１に設けた中央通孔６３、通孔６５及び通孔６６を通じて、スピーカ６、６から発生する熱を外部に分散させて放出することができる構成としている。
【００４７】
このため、前面ドア２（図１）を開けて行なうメンテナンスなどの点検作業時に、高温となったスピーカ６に係員が接触した場合でも、このスピーカ６には、スピーカ・カバー６０が装着されているため、スピーカ６に直接触れることはなく、これにより、火傷などで負傷することを防止することができる。なお、このように構成されるスピーカ・カバー６０の材料には、耐熱性及び耐久性に優れた材料（例えば、「ジュラコン」など）を選定して採用することができる。
【００４８】
次に、図７−１及び図７−２を参照して、スピーカ６に装着されるスピーカ・カバー６０の取り付けの詳細について説明する。図７−１は、スピーカ・カバーの取り付け手順を示す説明図である。また、図７−２は、スピーカ・カバーの取り付け状態を示す説明図である。
【００４９】
すなわち、図７−１に示すように、スピーカ６を構成する本体部６ａの所定位置には、係合凹部６ｂが形成されている。これにより、スピーカ６に対するスピーカ・カバー６０の取り付け時には、スピーカ６の本体部６ａに形成された係合凹部６ｂにスピーカ・カバー６０の取り付け腕部６２に設けられた取り付け爪部６７を係合させることにより、図７−２に示すように、このスピーカ・カバー６０をスピーカ６に装着することができる。従って、スピーカ６に対するスピーカ・カバー６０の取り付け或いは取り外しは、手動により容易に行なうことができる。
【００５０】
図８は、スピーカ６にスピーカ・カバー６０の取り付け状態を示す説明図である。同図に示すように、スピーカ６にスピーカ・カバー６０を装着した場合、本体部６ａの係合凹部６ｂにスピーカ・カバー６０の取り付け腕部６２の取り付け爪部６７が係合し、スピーカ６に対して、スピーカ・カバー６０を取り付けることができる。
【００５１】
そして、この時、スピーカ６の本体部６ａの背面部６ｃとスピーカ・カバー６０の内端面部６１ａとの間には、隙間Ｔが、スピーカ６による熱を流通させる所謂、空気流路として介在する構成となっている。
【００５２】
これにより、スピーカ６にスピーカ・カバー６０を取り付けた場合には、高温状態となったスピーカ６から発生する熱を、スピーカ６の本体部６ａの背面部６ｃとスピーカ・カバー６０の内端面部６１ａとの間に形成された隙間Ｔ（空気流路）により流通させるとともに、複数の通孔（中央通孔６３、通孔６５及び通孔６６）を通じて外部に分散させ放熱させることができる。このため、高温状態となったスピーカ・カバー６０の温度上昇を効果的に防止することができる。
【００５３】
また、このスピーカ６とスピーカ・カバー６０との間に介在する隙間Ｔ（空気流路）により、スピーカ・カバー６０の装着時に、このスピーカ・カバー６０とスピーカ６の本体部６ａとが近接（或いは、接触）することがなく、これにより、高温となったスピーカ６に装着したスピーカ・カバー６０が、このスピーカ６から発生する熱により高温状態となり変形するなどの不具合を防止することができる。
【００５４】
ここで、本発明の発明者が検証実験により、本実施例１で示したスピーカ・カバー６０による天面開口率を調査した結果、このスピーカ・カバー６０の場合、複数の通孔（中央通孔６３、通孔６５）により、この上部カバー部６１の天面開口率は、４３％となっていることが判明した。また、上部カバー部６１の外周面の開口率は、約５４％となる。
【００５５】
以上、これまで本発明の実施例１について説明したが、本発明は上述した実施例１以外にも、スピーカ６に装着させるスピーカ・カバーの構成は、種々の異なる形態にて実施することができる。以下、図９−１〜図９−４を参照して、実施例１で示したスピーカ・カバー６０以外の他の実施例を説明する。なお、以下の説明では、上述した実施例１のスピーカ・カバー６０と同様の構成については、その詳細な説明は省略する。
【００５６】
先ず、図９−１に示すスピーカ・カバー６０Ａの場合、上部カバー部６１には、複数（図９−１では、２４個）の四角形状の通孔６３ａを形成している。本例の場合、スピーカ・カバー６０Ａの上部カバー部６１に設けた通孔６３ａ及び上部カバー部６１の端縁部に形成した通孔６６を通じて、実施例１と同様に、温度上昇したスピーカ６の熱を効率良く外部に分散させて放熱することができる。なお、この上部カバー部６１に設けた通孔６３ａにより、この上部カバー部６１の天面開口率は、３４％となる。また、上部カバー部６１の外周面の開口率は、約５４％となる。
【００５７】
次に、図９−２に示すスピーカ・カバー６０Ｂの場合、上部カバー部６１には、複数（図９−２では、２０個）の平行形状の通孔６３ｂを形成している。本例の場合においても、スピーカ・カバー６０Ｂの上部カバー部６１に設けた通孔６３ｂ及び上部カバー部６１の端縁部に形成した通孔６６を通じて、実施例１と同様に、温度上昇したスピーカ６の熱を効率良く外部に分散させて放熱することができる。なお、この上部カバー部６１に設けた通孔６３ｂにより、この上部カバー部６１の天面開口率は、３９％となる。
【００５８】
次に、図９−３に示すスピーカ・カバー６０Ｃの場合、上部カバー部６１には、複数（図９−３では、１９個）の円形状の通孔６３ｃを形成している。本例の場合においても、スピーカ・カバー６０Ｂの上部カバー部６１に設けた通孔６３ｃ及び上部カバー部６１の端縁部に形成した通孔６６を通じて、実施例１と同様に、温度上昇したスピーカ６の熱を効率良く外部に分散させて放熱することができる。なお、この上部カバー部６１に設けた通孔６３ｃにより、この上部カバー部６１の天面開口率は、４０％となる。
【００５９】
次に、図９−４に示すスピーカ・カバー６０Ｄの場合、上部カバー部６１には、図９−３で示した通孔６３ｃよりも少し小径な円形状の通孔６３ｄを複数（図９−４では、１９個）形成している。本例の場合においても、スピーカ・カバー６０Ｂの上部カバー部６１に設けた通孔６３ｄ及び上部カバー部６１の端縁部に形成した通孔６６を通じて、実施例１と同様に、温度上昇したスピーカ６の熱を効率良く外部に分散させて放熱することができる。なお、この上部カバー部６１に設けた６３ｄにより、この上部カバー部６１の天面開口率は、１７％となる。
【００６０】
以上説明したように、実施例１で示したスピーカ・カバー６０の場合、スピーカ・カバー６０を構成する上部カバー部６１に設けた通孔（中央通孔６３、通孔６５）により天面開口率（約４３％）を一番高くすることができることから、これにより、温度上昇したスピーカ６の熱をより効率的に外部に放熱することができるため、スピーカ６に対する放熱効果を期待することができる。
【００６１】
［パチスロ機１の電気的構成：主制御回路７０］
次に、図１０を参照して、図１に示したパチスロ機１の電気的構成について説明する。図１０は、実施例１に係るパチスロ機１の電気的構成（電気回路）を示すブロック図を示している。同図に示すように、パチスロ機１を構成する電気回路は、パチスロ機１の遊技処理動作を全体的に制御する主制御回路７０と、この主制御回路７０に電気的に接続される各種の周辺装置（アクチュエータ）と、主制御回路７０から送信される制御指令に基づいて液晶表示部２ｂとスピーカ６，６とＬＥＤ類２０１及びランプ類２０２を制御する副制御回路７１とが含まれる。主制御回路７０と各種の制御基板及び各種の周辺装置（アクチュエータ）は、Ｉ／Ｏポート３８を介して、電気的に各種信号を入出力可能に接続されている。
【００６２】
主制御回路７０は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＡＭ３２とＲＯＭ３３とを有する。
【００６３】
ＣＰＵ３１には、基準クロックパルスを発生するクロックパルス発生回路３４及び分周器３５と、サンプリングされる乱数を発生する乱数発生器３６及びサンプリング回路３７とが接続されている。
【００６４】
乱数発生器３６は、一定の数値範囲に属する乱数を発生し、サンプリング回路３７は、スタートレバー１７が操作された後の適宜のタイミングで乱数をサンプリングする。こうしてサンプリングされた乱数を使用することにより、例えば、ＲＯＭ３３内に格納されている確率抽籤テーブルなどに基づいて内部当籤役などが決定される。なお、マイクロコンピュータ３０内のＣＰＵ３１上で乱数サンプリング用プログラムを実行してソフトウエア的に乱数サンプリングを行うこともできる。この場合、乱数発生器３６及びサンプリング回路３７を省略することができる。
【００６５】
マイクロコンピュータ３０のＲＯＭ３３には、副制御回路７１へ送信するための各種制御指令及びスタートレバー１７を操作（スタート操作）する毎に行われる乱数サンプリングの判定に用いられる確率抽籤テーブルや停止用当籤役決定テーブル、停止ボタン１８Ｌ，１８Ｃ，１８Ｒの操作に応じてリールの停止態様を決定するための停止テーブル群などが格納されている。なお、副制御回路７１が主制御回路７０へ制御指令や情報等を入力することはなく、主制御回路７０から副制御回路７１への一方向で通信が行われる。
【００６６】
さらに、このＲＯＭ３３内には、表示役に対応する各種の図柄の組合せと、メダルの配当枚数と、その入賞（成立）を表わす入賞判定コード（成立判定コード）とが対応付けられた表示役特定テーブルが格納されている。この表示役特定テーブルは、左のリール３Ｌ，中央のリール３Ｃ，右のリール３Ｒの停止制御時並びに全リール３Ｌ，３Ｃ，３Ｒの停止後の表示役の確認を行なう際に参照される。
【００６７】
表示役（表示役データ）は、有効ラインに沿って並ぶ図柄組合せに対応する役（成立役）であり、遊技者にはこの表示役に対応する利益が付与される。また、ＲＡＭ３２には、パチスロ機１の入賞に係わる内部当籤役、持越役、現在の遊技状態などの種々の情報が格納される。
【００６８】
マイクロコンピュータ３０からの制御信号により動作が制御される主要なアクチュエータとしては、ＢＥＴランプ（１−ＢＥＴランプ７ａ、２−ＢＥＴランプ７ｂ、３−ＢＥＴランプ７ｃ）と、ボーナス回数表示部８、クレジット表示部９、払出枚数表示部１０などの表示部と、メダルを収納しホッパー駆動回路４６の命令により所定枚数のメダルを払出すメダルホッパー２１（払出しのための駆動部を含む）と、リール３Ｌ，３Ｃ，３Ｒを回転駆動するステッピングモータ４９Ｌ，４９Ｃ，４９Ｒとがある。
【００６９】
また、ステッピングモータ４９Ｌ，４９Ｃ，４９Ｒを駆動制御するモータ駆動回路５０、メダルホッパー２１を駆動制御するホッパー駆動回路４６、ＢＥＴランプ（１−ＢＥＴランプ７ａ、２−ＢＥＴランプ７ｂ、３−ＢＥＴランプ７ｃ）を駆動制御するランプ駆動回路４５並びにボーナス回数表示部８、クレジット表示部９、払出枚数表示部１０などの表示部を駆動制御する表示部駆動回路４８がＣＰＵ３１の出力部に接続されている。これらの駆動回路は、それぞれＣＰＵ３１から出力される駆動指令などの制御信号を受けて、各アクチュエータの動作を制御する。
【００７０】
また、マイクロコンピュータ３０へは、スタートスイッチ１７Ｓ、ＢＥＴスイッチ（１−ＢＥＴスイッチ１３Ｓ、２−ＢＥＴスイッチ１４Ｓ、３−ＢＥＴスイッチ１５Ｓ）、リール位置検出回路４９、払出完了信号回路４７から入力信号が入力され、これらに基づいて制御指令が発生される。
【００７１】
スタートスイッチ１７Ｓは、スタートレバー１７の操作を検出するスイッチであり、メダルセンサ１２Ｓは、メダル投入口１２に投入されたメダルを検出するセンサである。ＢＥＴスイッチ１３Ｓ，１４Ｓ，１５Ｓは、１−ＢＥＴボタン１３，２−ＢＥＴボタン１４，３−ＢＥＴボタン１５の背面に設けられ各１−ＢＥＴボタン１３，２−ＢＥＴボタン１４，３−ＢＥＴボタン１５の操作に応じて信号を発生するスイッチである。
【００７２】
Ｃ／Ｐスイッチ１６Ｓは、Ｃ／Ｐボタン１６の背面に設けられＣ／Ｐボタン１６の操作に応じて信号を発生するスイッチである。リール位置検出回路４９は、リール回転センサからのパルス信号を受けて各リール３Ｌ，３Ｃ，３Ｒの位置を検出するための信号をＣＰＵ３１へ供給する回路である。払出完了信号回路４７は、メダルホッパー２１から払出されたメダルの枚数が指定された枚数データに達した時にメダル払出完了を示す信号を発生する。
【００７３】
リール３Ｌ，３Ｃ，３Ｒの回転が開始された後、ステッピングモータ４９Ｌ，４９Ｃ，４９Ｒの各々に供給される駆動パルスの数が計数され、その計数値がＲＡＭ３３ａの所定エリアに書き込まれる。リール３Ｌ，３Ｃ，３Ｒからは一回転毎にリセットパルスが得られ、これらのパルスはリール位置検出回路４９を介してＣＰＵ３１に入力される。このようにして得られたリセットパルスにより、ＲＡＭ３２で計数されている駆動パルスの計数値が“０”にクリアされる。これにより、ＲＡＭ３２内には、各リール３Ｌ，３Ｃ，３Ｒについて一回転の範囲内における回転位置に対応した計数値が格納される。
【００７４】
上記のようなリール３Ｌ，３Ｃ，３Ｒの回転位置とリール外周面上に描かれた図柄とを対応づけるために、図柄テーブル（図示せず）が、ＲＯＭ３３内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応付けられている。
【００７５】
ＣＰＵ３１は、上記乱数サンプリングに基づく抽籤処理（確率抽籤処理など）により内部当籤役や停止用当籤役を決定したならば、遊技者が停止ボタン１８Ｌ，１８Ｃ，１８Ｒを操作したタイミングで停止スイッチ１８ＬＳ，１８ＣＳ，１８ＲＳから送られる操作信号並びに決定された停止テーブルに基づいて、リール３Ｌ，３Ｃ，３Ｒを停止制御する信号をモータ駆動回路５０に送出する。ただし、遊技者によるコマンドの入力を受け付ける場合には、ＣＰＵ３１は、遊技者が停止ボタン１８Ｌ，１８Ｃ，１８Ｒを操作したとしても、リール３Ｌ，３Ｃ，３Ｒを停止制御する信号をモータ駆動回路５０に送出しない。
【００７６】
また、ＣＰＵ３１は、当籤した役の入賞を示す停止態様（即ち入賞態様）になれば、払出指令信号をホッパー駆動回路４６に供給してメダルホッパー２１から所定枚数のメダルの払出を行う。払出完了信号回路４７は、 メダル検出部２１Ｓの計数値（メダルホッパー２１から払い出されたメダルの枚数）が指定された枚数データに達した時、メダル払出完了信号を検知するための信号を発生する。
【００７７】
すなわち、メダル検出部２１Ｓは、メダルホッパー２１から払出されるメダルの枚数を計数し、その計数値が指定された数に達した時にメダル払出完了信号を、払出完了信号回路４７を介して、ＣＰＵ３１に入力される。これにより、ＣＰＵ３１は、ホッパー駆動回路４６を介してメダルホッパー２１の駆動を停止し、メダル払出処理を終了することになる。
【００７８】
[発明の効果]
以上説明したように、本実施例１によれば、パチスロ機１の前面ドア２の裏面側に設けられるスピーカ６には、このスピーカ６の本体部６ａの周囲を包覆するスピーカ・カバー６０が装着されるので、スピーカ６の表面温度が温度上昇し、高温となった場合でも、前面ドア２を開けて行なう点検作業時に、この高温となったスピーカ６に係員が直接触れることをスピーカ・カバー６０により防止することができる。そのため、火傷などで負傷することを防止することができ、これによって、作業時の安全性を図ることができる。
【産業上の利用可能性】
【００７９】
以上のように、本発明に係る遊技機は、遊技状態に応じて所定の効果音や音声を出力するスピーカを備えた遊技機に有用であり、特に、メンテナンス時などに係員の安全性を図ることができる遊技機に適する。
【図面の簡単な説明】
【００８０】
【図１】実施例１に係るパチスロ機の外観構成を示す斜視図である。
【図２】実施例１に係る前面ドアの構成を示す正面図である。
【図３】実施例１に係るパチンコ機の内部構成を示す正面図である。
【図４】スピーカに対するスピーカ・カバーの取り付け状態を示す要部拡大斜視図である。
【図５】スピーカ・カバーの全体構成を示す拡大斜視図である（表面図）。
【図６】スピーカ・カバーの全体構成を示す拡大斜視図である（裏面図）。
【図７−１】図５に示したスピーカ・カバーの取り付け手順を示す断面図である。
【図７−２】スピーカ・カバーの取り付け状態を示す断面図である。
【図８】スピーカ・カバーによる熱の放熱状態を説明する説明図である。
【図９−１】スピーカ・カバーの別例を示す斜視図である（その１）。
【図９−２】スピーカ・カバーの別例を示す斜視図である（その２）。
【図９−３】スピーカ・カバーの別例を示す斜視図である（その３）。
【図９−４】スピーカ・カバーの別例を示す斜視図である（その４）。
【図１０】主制御基板の構成を示す機能ブロック図である。
【符号の説明】
【００８１】
１  パチスロ機
２  前面ドア
３Ｌ，３Ｃ，３Ｒ  リール
６ａ  本体部
６ｂ  係合凹部
６ｃ  背面部
８  ボーナス回数表示部
９  クレジット表示部
１０  払出枚数表示部
１１  台座部
１２  メダル投入口
１６  Ｃ／Ｐボタン
１７  スタートレバー
１８Ｌ，１８，１８Ｒ  停止ボタン
１９  メダル受け部
２０  メダル払出口
６０，６０Ａ，６０Ｂ、６０Ｃ、６０Ｄ  スピーカ・カバー
６１  上部カバー部
６１ａ  内端面部
６２  取り付け腕部
６３  中央通孔
６３，６３ａ，６３ｂ，６３ｃ，６３ｄ，６５，６６  通孔
６４  柱部
６７  取り付け爪部
１００  メダルセレクタ
２００  キャンセルシュータ
３００  キャンセルシュート
【図１】
2007313250.tif 000003
【図２】
2007313250.tif 000004
【図３】
2007313250.tif 000005
【図４】
2007313250.tif 000006
【図５】
2007313250.tif 000007
【図６】
2007313250.tif 000008
【図７−１】
2007313250.tif 000009
【図７−２】
2007313250.tif 000010
【図８】
2007313250.tif 000011
【図９−１】
2007313250.tif 000012
【図９−２】
2007313250.tif 000013
【図９−３】
2007313250.tif 000014
【図９−４】
2007313250.tif 000015
【図１０】
2007313250.tif 000016